(57)【要約】      （修正有）【課題】バックポケットに、より斬新で、新規なデザインを施したシリーズ物のジーンズを提供し、また、かかるシリーズ物のジーンズを構成する個々のジーンズを提供する。【解決手段】シリーズ物のジーンズは、少なくとも同じデザインを有し、それぞれ、左右の特定形状のバックポケット１、１を有する複数のジーンズからなり、個々のジーンズの左右のバックポケット１、１に、各バックポケット１の形状を利用したアルファベットに由来するペイント２を付している。【選択図】図２
0003192017.tif 000002
【実用新案登録請求の範囲】
【請求項１】
少なくとも同じデザインを有し、それぞれ、左右の特定形状のバックポケットを有する複数のジーンズからなるシリーズ物のジーンズであって、
個々のジーンズの左右のバックポケットに、該バックポケットの形状を利用したアルファベットに由来するペイントを付したことを特徴とするシリーズ物のジーンズ。
【請求項２】
前記個々のジーンズの左右のバックポケットに、それぞれ、異なるアルファベットに由来するペイントを付した請求項１に記載のシリーズ物のジーンズ。
【請求項３】
前記個々のジーンズの左右のバックポケットに、それぞれ、同じアルファベットに由来するペイントを付した請求項１に記載のシリーズ物のジーンズ。
【請求項４】
前記左右のバックポケットは、それぞれ、略五角形状をなしており、
前記ペイントは、各前記バックポケットの少なくとも１つの角部を含む領域に付されている請求項１ないし３のいずれかに記載のシリーズ物のジーンズ。
【請求項５】
前記ペイントは、さらに、各前記バックポケットの少なくとも１つの辺部の一部を含む領域に付されている請求項４に記載のシリーズ物のジーンズ。
【請求項６】
少なくとも同じデザインを有し、それぞれ、左右の特定形状のバックポケットを有する複数のジーンズからなるシリーズ物のジーンズを構成する個々のジーンズであって、
個々のジーンズの左右のバックポケットに、該バックポケットの形状を利用したアルファベットに由来するペイントを付したことを特徴とするジーンズ。
【考案の詳細な説明】
【技術分野】
【０００１】
本考案は、それぞれが、同じデザインを有する複数のジーンズからなるシリーズ物のジーンズ、および、かかるシリーズ物のジーンズを構成する個々のジーンズに関する。
【背景技術】
【０００２】
ジーンズのバックポケットには、ジーンズのファッション性向上のため、各ジーンズメーカー独自の模様が刺繍（ステッチ）されたり、ペイント（ペンキステッチ）されている。
【０００３】
特に、ペンキステッチは、刺繍によるステッチに比べ、多種多様な模様および色彩のデザインを手軽にバックポケットに施す（付す）ことができるため、人気が高い。このようなペンキステッチとしては、例えば、図１に示すように、バックポケットの略中央にかもめをイメージした模様をペイントしたものが知られている。
【０００４】
ところで、現在、各ジーンズメーカーから市販されているジーンズは、その全体形状が同じデザインのモデル（シリーズ物のジーンズ）毎に、各ジーンズメーカーで決められた模様がバックポケットに付されている。しかしながら、同じモデルのジーンズであっても、個々のジーンズ毎に、バックポケットに施すステッチや、ペンキステッチのデザインを変えたいという需要者のニーズがある。また、ジーンズのファッション性をさらに向上させる観点から、バックポケットにより斬新なデザインを施すことが望まれている。
【考案の概要】
【考案が解決しようとする課題】
【０００５】
本考案は、上記従来の問題点を鑑みなされたものであり、その目的は、バックポケットに、より斬新で、新規なデザインを施したシリーズ物のジーンズを提供すること、また、かかるシリーズ物のジーンズを構成する個々のジーンズを提供することにある。
【課題を解決するための手段】
【０００６】
このような目的は以下の（１）〜（６）の本考案により達成される。
（１）  少なくとも同じデザインを有し、それぞれ、左右の特定形状のバックポケットを有する複数のジーンズからなるシリーズ物のジーンズであって、
個々のジーンズの左右のバックポケットに、該バックポケットの形状を利用したアルファベットに由来するペイントを付したことを特徴とするシリーズ物のジーンズ。
【０００７】
（２）  前記個々のジーンズの左右のバックポケットに、それぞれ、異なるアルファベットに由来するペイントを付した上記（１）に記載のシリーズ物のジーンズ。
【０００８】
（３）  前記個々のジーンズの左右のバックポケットに、それぞれ、同じアルファベットに由来するペイントを付した上記（１）に記載のシリーズ物のジーンズ。
【０００９】
（４）  前記左右のバックポケットは、それぞれ、略五角形状をなしており、
前記ペイントは、各前記バックポケットの少なくとも１つの角部を含む領域に付されている上記（１）ないし（３）のいずれかに記載のシリーズ物のジーンズ。
【００１０】
（５）  前記ペイントは、さらに、各前記バックポケットの少なくとも１つの辺部の一部を含む領域に付されている上記（４）に記載のシリーズ物のジーンズ。
【００１１】
（６）  少なくとも同じデザインを有し、それぞれ、左右の特定形状のバックポケットを有する複数のジーンズからなるシリーズ物のジーンズを構成する個々のジーンズであって、
個々のジーンズの左右のバックポケットに、該バックポケットの形状を利用したアルファベットに由来するペイントを付したことを特徴とするジーンズ。
【図面の簡単な説明】
【００１２】
【図１】従来のジーンズのバックポケットに施されたペンキステッチの一例を示す図である。
【図２】本考案の好適な実施形態のシリーズ物のジーンズを構成するジーンズの一例を示す背面図である。
【図３】図１に示すジーンズが備える左右のバックポケットの部分拡大図である。
【図４】本考案の好適な実施形態のシリーズ物のジーンズにおける個々のジーンズのバックポケットに付されるペイントの一例を説明するための図である。
【考案を実施するための形態】
【００１３】
以下、本考案のシリーズ物のジーンズおよびシリーズ物のジーンズを構成する個々のジーンズを添付図面に示す好適な実施形態に基づいて説明する。
【００１４】
図２は、本考案の好適な実施形態のシリーズ物のジーンズを構成するジーンズの一例を示す背面図であり、図３は、図１に示すジーンズが備える左右のバックポケットの部分拡大図であり、図４は、本考案の好適な実施形態のシリーズ物のジーンズにおける個々のジーンズのバックポケットに付されるペイントの一例を説明するための図である。
【００１５】
なお、以下の説明では、図２〜図４中の上側を「上」または「上方」といい、図２〜図４中の下側を「下」または「下方」といい、図２〜図４中の左側を「左」または「左側」といい、図２〜図４の右側を「右」または「右側」という。
【００１６】
本実施形態のシリーズ物のジーンズは、複数のジーンズからなり、個々のジーンズが、同じデザインを有し、図２に示すように、各ジーンズの背面側のデニム生地（後身項）の臀部に対応する位置に、左右２つのバックポケット１、１が取り付けられている。
【００１７】
各ジーンズの左右のバックポケット１、１のサイズは、ジーンズのサイズによってそれぞれ異なるため、当然にして、特定の大きさに限定されるものではない。
【００１８】
本実施形態のジーンズでは、この左右のバックポケット１、１に、それぞれ、各バックポケット１の形状を利用したアルファベットに由来するペイント２（ペンキステッチ）が付されている。
【００１９】
本実施形態では、ジーンズの需要者（購入者）の要望（例えば、名前のイニシャル等）に応じて、ジーンズの左右のバックポケット１、１に、需要者が指定するアルファベットに由来するペイント２、２を付す。また、各ペイント２のデザインは、各バックポケット１の形状を、後述するように匠に利用するものである。このような斬新で、従来なかったペイント２を各バックポケット１に付すことにより、斬新で、ファッション性に優れたジーンズを提供することができる。
【００２０】
なお、各ペイント２、２は、Ａ〜Ｚまでの任意のアルファベットに由来するデザインとすることができ、左右両方のバックポケット１、１に、同じアルファベットに由来するペイント２、２を付してもよいし、それぞれ異なるアルファベットに由来するペイント２、２を付してもよい。
【００２１】
本実施形態では、各バックポケット１に、Ａ〜Ｚまでの２６通りの文字をペイントすることができるため、左右両方のバックポケット１、１に付されるペイント２、２の組み合わせは、２６×２６通りもある。そのため、個々のジーンズが同じデザインを有するシリーズ物のジーンズでありながら、オリジナリティに溢れたジーンズを提供することができる。
【００２２】
また、本実施形態では、個々のジーンズの左右両方のバックポケット１、１の形状が、それぞれ、略五角形状をなしている。以下、図３を参照して、バックポケット１の形状と、ペイント２のデザインとの関係について説明する。なお、図３では、左右両方のバックポケット１、１に付されるペイント２、２は、いずれも、アルファベット「Ｘ」に由来するデザインである。
【００２３】
各バックポケット１は、ジーンズの後身項との間に開口部を形成する上辺部１１と、上辺部１１の左右両端から、それぞれ下方に伸びる左側辺部１２、右側辺部１３と、左側辺部１２および右側辺部１３の各下端と連結する２つの下辺部１４、１５とを備えている（図３参照）。これらの各辺部のうち、左側辺部１２、右側辺部１３および下辺部１４、１５は、後身項に縫い付けられている。
【００２４】
図３に示すペイント２は、「Ｘ」を示す４つの端部が、それぞれ、上辺部１１と左側辺部１２とでなす角部、上辺部１１と右側辺部１３とでなす角部、左側辺部１２と下辺部１４とでなす角部および右側辺部１３と下辺部１５とでなす角部の４つの角部を含む領域に付されている。この場合、バックポケット１に付された「Ｘ」のデザインと、バックポケット１の形状（輪郭）との間に統一感が生まれ、ペイント２の美観性が優れたものとなる。
【００２５】
また、「Ｘ」以外のアルファベットに由来するペイント２についても、「Ｘ」と同様に、バックポケット１の形状を利用したデザインとする。
【００２６】
ここで、本実施形態のシリーズ物のジーンズの一例として、図４に示すようなシリーズが考えられる。
【００２７】
図４に示すシリーズ物のジーンズの上段の６つのジーンズには、左側から右側に向かって、各ジーンズの左右のバックポケット１、１に、アルファベットＡ〜Ｌに由来するペイント２がアルファベット順に付されている。また、図４に示すシリーズ物のジーンズの下段の７つのジーンズには、左側から右側に向かって、各ジーンズの左右のバックポケット１、１に、アルファベットＭ〜Ｚに由来するペイント２がアルファベット順に付されている。なお、各ジーンズの左右のバックポケット１、１に付されるペイント２は、図４に示す構成に限定されず、各バックポケット１に任意のアルファベットに由来するペイント２を付すことができることは言うまでもない。
【００２８】
図４に示すように、本実施形態では、「Ｘ」以外のアルファベットに由来するペイント２についても、バックポケット１の少なくとも１つの角部を含む領域に付されている。これにより、バックポケット１に付されたペイント２のデザインと、バックポケット１の形状（輪郭）との間に統一感が生まれ、ペイント２の美観性が優れたものとなる。
【００２９】
また、ペイント２は、バックポケット１の各辺部（上辺部１１、左側辺部１２、右側辺部１３および下辺部１４、１５）のうちの少なくとも１つの辺部の一部を含む領域に付されているのが好ましい。
【００３０】
例えば、図４において、ジーンズ１０は、左側のバックポケット１にアルファベット「Ａ」に由来するペイント２が付され、右側のバックポケット１にアルファベット「Ｂ」に由来するペイント２が付されている。
【００３１】
このジーンズ１０の左側のバックポケット１に付されたアルファベット「Ａ」に由来するペイント２は、上辺部１１、左側辺部１２および右側辺部１３を含む領域に付されている。この場合、バックポケット１に付された「Ａ」のデザインと、バックポケット１の形状（輪郭）との間にさらに統一感が生まれ、ペイント２の美観性がより優れたものとなる。また、ジーンズ１０の右側のバックポケット１に付されたアルファベット「Ｂ」に由来するペイント２は、全ての辺部（上辺部１１、左側辺部１２、右側辺部１３および下辺部１４、１５）を含む領域に付されている。これにより、「Ｂ」のデザインとバックポケット１の形状（輪郭）との間にさらに統一感が生まれ、ペイント２の美観性がより優れたものとなる。
【００３２】
また、アルファベット「Ｃ」および「Ｄ」に由来するペイント２、２がバックポケット１、１に付されたジーンズ２０や、アルファベット「Ｅ」および「Ｆ」に由来するペイント２、２がバックポケット１、１に付されたジーンズ３０等でも、ジーンズ１０と同様の作用・効果を得ることができる。
【００３３】
なお、上述した本実施形態のジーンズ（シリーズ物のジーンズ）では、ジーンズの左右両方のバックポケット１、１が、いずれも略五角形状をなしている構成について説明したが、本考案は、これに限定されない。例えば、左右のバックポケットのうち、一方または両方のバックポケットの形状が、略四角形状をなしていてもよいし、下側の部位（図３に示すバックポケットの場合、２つの下辺部）が丸みを帯びた形状であってもよい。かかる形状のバックポケットであっても、上述した本実施形態のジーンズと同様の作用・効果を得ることができる。
【００３４】
以上、本考案のシリーズ物のジーンズおよびシリーズ物のジーンズを構成する個々のジーンズを図示の実施形態に基づいて説明したが、本考案は、これに限定されるものではなく、各構成は、同様の機能を発揮し得る任意のものと置換することができ、あるいは、任意の構成のものを付加することができる。
【符号の説明】
【００３５】
１…バックポケット  １１…上辺部  １２…左側辺部  １３…右側辺部  １４、１５…下辺部  ２…ペイント  １０、２０、３０…ジーンズ
【図１】
0003192017.tif 000003
【図２】
0003192017.tif 000004
【図３】
0003192017.tif 000005
【図４】
0003192017.tif 000006